(57)【要約】【課題】放送された番組を再び視聴することを可能とする。【解決手段】情報配信システム１０において、コンテンツサーバ５０は、放送局３０が放送した番組と同様の内容のコンテンツを保持し、インターネット２０を介してストリーミング配信する。放送局３０は、番組を放送するときに、コンテンツのＵＲＬをデータ放送により放送する。携帯電話１００は、ユーザからの指示により、視聴中の番組に対応するコンテンツのＵＲＬをホームサーバ２００に通知する。ユーザは、自宅のホームサーバ２００により、通知されたコンテンツのＵＲＬにアクセスして、コンテンツを再生することができる。【選択図】        図１
2004304429.tif 000002
【特許請求の範囲】
【請求項１】
放送局が放送する番組と同様の内容のコンテンツを、ネットワークを介して配信するコンテンツ配信サーバと、
前記番組を受信する放送受信装置と、
前記コンテンツを受信するコンテンツ受信装置と、を含み、
前記コンテンツ配信サーバは、
前記コンテンツを保持するコンテンツ保持部と、
前記コンテンツ受信装置からコンテンツの配信要求を受け付けて、要求されたコンテンツを、前記ネットワークを介してストリーミング配信するコンテンツ配信部と、を含み、
前記放送受信装置は、
放送された番組を受信する番組受信部と、
受信した番組を再生する番組再生部と、
前記コンテンツを前記ネットワーク上で一意に識別する識別子をデータ放送信号から取得する第１取得部と、
前記識別子を前記コンテンツ受信装置に通知するよう指示を受けたときに、前記識別子を前記コンテンツ受信装置に宛てて送信する識別子送信部と、を含み、
前記コンテンツ受信装置は、
前記放送受信装置から前記識別子を取得する第２取得部と、
前記識別子を用いて前記コンテンツ配信サーバに前記コンテンツの配信を要求するコンテンツ要求部と、
前記コンテンツを受信するコンテンツ受信部と、
前記コンテンツを再生するコンテンツ再生部と、を含む
ことを特徴とする情報配信システム。
【請求項２】
前記コンテンツ保持部は、所定の番組について地域ごとに用意された複数のコンテンツを保持し、
前記第１取得部は、前記複数のコンテンツの識別子と、それらのコンテンツに対応する地域に関する情報をデータ放送信号からそれぞれ取得し、
前記放送受信装置は、
前記コンテンツ受信装置が設けられた地域に関する情報を保持する地域情報保持部と、
前記複数のコンテンツの識別子の中から、前記コンテンツ受信装置が設けられた地域に対応するコンテンツの識別子を選択する選択部と、をさらに含み、
前記識別子送信部は、前記識別子を前記コンテンツ受信装置に通知するよう指示を受けたときに、前記選択部により選択された識別子を前記コンテンツ受信装置に宛てて送信することを特徴とする請求項１に記載の情報配信システム。
【請求項３】
前記コンテンツ保持部は、所定の番組について地域ごとに用意された複数のコンテンツを保持し、
前記第１取得部は、前記複数のコンテンツの識別子と、それらのコンテンツに対応する地域に関する情報をデータ放送信号からそれぞれ取得し、
前記識別子送信部は、前記識別子を前記コンテンツ受信装置に通知するよう指示を受けたときに、前記複数のコンテンツの識別子と、前記地域に関する情報を対応づけて、前記コンテンツ受信装置に宛てて送信し、
前記コンテンツ受信装置は、
前記コンテンツ受信装置が設けられた地域に関する情報を保持する地域情報保持部と、
前記複数のコンテンツの識別子の中から、前記コンテンツ受信装置が設けられた地域に対応するコンテンツの識別子を選択する選択部と、をさらに含み、
前記コンテンツ要求部は、前記選択部により選択された識別子を用いて前記コンテンツ配信サーバに前記コンテンツの配信を要求することを特徴とする請求項１に記載の情報配信システム。
【請求項４】
前記コンテンツ保持部は、番組の本体と同様の内容のコンテンツ本体と、前記コンテンツ本体に付加される、地域ごとに用意された複数の付加情報とを保持し、
前記コンテンツ要求部は、前記コンテンツ配信サーバにコンテンツの配信を要求するときに、前記コンテンツ受信装置が設けられた地域に関する情報を通知し、
前記コンテンツ配信部は、要求されたコンテンツ本体に、前記コンテンツ受信装置が設けられた地域に対応する付加情報を付加して配信することを特徴とする請求項１に記載の情報配信システム。
【請求項５】
前記付加情報は、各地域に設けられた付加情報配信サーバに保持され、
前記コンテンツ配信部は、前記コンテンツ受信装置が設けられた地域に近接する地域に設けられた付加情報配信サーバから前記付加情報を取得し、要求されたコンテンツ本体に付加して配信することを特徴とする請求項４に記載の情報配信システム。
【請求項６】
放送された番組を受信する番組受信部と、
受信した番組を再生する番組再生部と、
前記番組と同様の内容のコンテンツを配信するコンテンツ配信サーバから前記コンテンツの配信を受けるコンテンツ受信装置に、前記コンテンツを前記ネットワーク上で一意に識別する識別子を通知するために、前記識別子をデータ放送信号から取得する取得部と、
前記識別子を前記コンテンツ受信装置に通知するよう指示を受けたときに、前記識別子を前記コンテンツ受信装置に宛てて送信する識別子送信部と、
を含むことを特徴とする放送受信装置。
【請求項７】
放送された番組を受信する放送受信装置から、前記放送受信装置がデータ放送信号から取得した、前記番組と同様の内容のコンテンツをネットワーク上で一意に識別する識別子を取得する取得部と、
前記識別子を用いて、前記コンテンツを保持するコンテンツ配信サーバに前記コンテンツの配信を要求するコンテンツ要求部と、
前記コンテンツを受信するコンテンツ受信部と、
前記コンテンツを再生するコンテンツ再生部と、
を含むことを特徴とするコンテンツ受信装置。
【発明の詳細な説明】
【０００１】
【発明の属する技術分野】
本発明は、情報配信技術に関し、とくに、放送された番組と同様の内容のコンテンツを配信するシステム、そのシステムに利用可能な放送受信装置、およびコンテンツ受信装置に関する。
【０００２】
【従来の技術】
地上波テレビジョン放送のデジタル化が目前に迫っており、携帯電話や車載テレビジョン受像機などの移動体放送受信装置向けの放送も検討されている。近い将来、移動体放送受信装置が普及し、いつでもどこでも手軽にテレビジョン放送を視聴できるようになり、視聴形態が多様化してくることは確実である。移動体向けの放送としては、地上波テレビジョン放送で使用されるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）伝送方式の１３セグメントのうち、１セグメントを利用する方式が検討されている。１３セグメントを用いた伝送方式では、ハイビジョン受信機に対応した高精細の番組が放映されるが、１セグメントを用いた伝送方式では、小型画面の受信端末向けに、画面サイズを縮小した番組が放映される予定である。
【０００３】
【特許文献１】
特開２００１−６９４７９号公報
【０００４】
【発明が解決しようとする課題】
移動体受信端末は、ユーザが携帯して使用することを想定して設計されているので、一般に表示画面は小さく、また、移動体向けの放送は、前述のように狭い帯域を利用するので、高い画質は望めない。したがって、ユーザが外出先などにおいて、移動体受信端末により放送された番組を視聴している際に、後で自宅の大型テレビで高画質の映像を見直したいと要望することが多々考えられる。
【０００５】
移動体向けの放送と、通常の１３セグメントの放送が、同時間に同じ番組を放送している場合は、ユーザは、視聴中の番組を自宅の録画装置に録画させることにより、後で再生して楽しむことができる。しかし、予め録画予約を行っていた場合は全ての番組を録画しておくことができるが、番組の視聴中に録画を開始した場合は、放映済みの部分は録画できず、番組の全てを再生することはできない。また、移動体向け放送と通常の放送の内容が異なっていた場合は、所望の番組とは異なる番組を録画してしまうことになる。地上波デジタル放送は、地上に設置された送信アンテナから放映する地域限定の放送であり、日本全国どこでも同じ内容の番組が放映されているとは限らない。したがって、例えば旅先で視聴した番組を後で視聴したいと思っても、自宅の受信機では受信できない場合もある。
【０００６】
本発明はこうした状況に鑑みてなされたものであり、その目的は、放送された番組を再び視聴可能な技術の提供にある。本発明の別の目的は、放送された番組を再び視聴するときの利便性を向上させる技術の提供にある。本発明のさらに別の目的は、放送された番組を再び視聴可能とするビジネスの普及に寄与する技術の提供にある。
【０００７】
【課題を解決するための手段】
本発明のある態様は、情報配信システムに関する。この情報配信システムは、放送局が放送する番組と同様の内容のコンテンツを、ネットワークを介して配信するコンテンツ配信サーバと、番組を受信する放送受信装置と、コンテンツを受信するコンテンツ受信装置と、を含み、コンテンツ配信サーバは、コンテンツを保持するコンテンツ保持部と、コンテンツ受信装置からコンテンツの配信要求を受け付けて、要求されたコンテンツを、ネットワークを介してストリーミング配信するコンテンツ配信部と、を含み、放送受信装置は、放送された番組を受信する番組受信部と、受信した番組を再生する番組再生部と、コンテンツをネットワーク上で一意に識別する識別子をデータ放送信号から取得する第１取得部と、識別子をコンテンツ受信装置に通知するよう指示を受けたときに、識別子をコンテンツ受信装置に宛てて送信する識別子送信部と、を含み、コンテンツ受信装置は、放送受信装置から識別子を取得する第２取得部と、識別子を用いてコンテンツ配信サーバにコンテンツの配信を要求するコンテンツ要求部と、コンテンツを受信するコンテンツ受信部と、コンテンツを再生するコンテンツ再生部と、を含むことを特徴とする。
【０００８】
識別子は、インターネット上でコンテンツを一意に識別するためのＵＲＬ（Ｕｎｉｆｏｒｍ  Ｒｅｓｏｕｒｃｅ  Ｌｏｃａｔｏｒ）であってもよい。このような構成により、ユーザは、携帯端末などの放送受信装置により外出先などで視聴した番組を、自宅で再び視聴することができる。また、コンテンツのＵＲＬをデータ放送により放送し、放送を受信した携帯端末から自宅のコンテンツ受信装置に通知しておくことで、容易にコンテンツにアクセスすることができる。
【０００９】
コンテンツ保持部は、所定の番組について地域ごとに用意された複数のコンテンツを保持し、第１取得部は、複数のコンテンツの識別子と、それらのコンテンツに対応する地域に関する情報をデータ放送信号からそれぞれ取得し、放送受信装置は、コンテンツ受信装置が設けられた地域に関する情報を保持する地域情報保持部と、複数のコンテンツの識別子の中から、コンテンツ受信装置が設けられた地域に対応するコンテンツの識別子を選択する選択部と、をさらに含み、識別子送信部は、識別子をコンテンツ受信装置に通知するよう指示を受けたときに、選択部により選択された識別子をコンテンツ受信装置に宛てて送信してもよい。コンテンツ配信サーバには、インターネットを介して世界中どこからでもアクセスすることができるが、番組には広告（ＣＭ）などの地域性を有する情報も含まれる。上述の構成により、コンテンツ受信装置が設けられた地域に応じた情報を配信することができる。また、地域に応じた広告を配信することができるので、スポンサーにとってもメリットが大きく、本システムが提供するビジネスの普及にも寄与することができる。
【００１０】
コンテンツ保持部は、所定の番組について地域ごとに用意された複数のコンテンツを保持し、第１取得部は、複数のコンテンツの識別子と、それらのコンテンツに対応する地域に関する情報をデータ放送信号からそれぞれ取得し、識別子送信部は、識別子をコンテンツ受信装置に通知するよう指示を受けたときに、複数のコンテンツの識別子と、地域に関する情報を対応づけて、コンテンツ受信装置に宛てて送信し、コンテンツ受信装置は、コンテンツ受信装置が設けられた地域に関する情報を保持する地域情報保持部と、複数のコンテンツの識別子の中から、コンテンツ受信装置が設けられた地域に対応するコンテンツの識別子を選択する選択部と、をさらに含み、コンテンツ要求部は、選択部により選択された識別子を用いてコンテンツ配信サーバにコンテンツの配信を要求してもよい。このような構成によっても、コンテンツ受信装置が設けられた地域に応じた情報を配信することができる。
【００１１】
コンテンツ保持部は、番組の本体と同様の内容のコンテンツ本体と、コンテンツ本体に付加される、地域ごとに用意された複数の付加情報とを保持し、コンテンツ要求部は、コンテンツ配信サーバにコンテンツの配信を要求するときに、コンテンツ受信装置が設けられた地域に関する情報を通知し、コンテンツ配信部は、要求されたコンテンツ本体に、コンテンツ受信装置が設けられた地域に対応する付加情報を付加して配信してもよい。このような構成により、単一の放送局が制作して放送した番組であっても、地域性を有する情報を付加して配信することができる。
【００１２】
付加情報は、各地域に設けられた付加情報配信サーバに保持され、コンテンツ配信部は、コンテンツ受信装置が設けられた地域に近接する地域に設けられた付加情報配信サーバから付加情報を取得し、要求されたコンテンツ本体に付加して配信してもよい。このような構成により、単一の放送局が制作して放送した番組であっても、各地域に設けられた系列局が制作したＣＭを差し替えて配信することができる。
【００１３】
本発明の別の態様は、放送受信装置に関する。この放送受信装置は、放送された番組を受信する番組受信部と、受信した番組を再生する番組再生部と、番組と同様の内容のコンテンツを配信するコンテンツ配信サーバからコンテンツの配信を受けるコンテンツ受信装置に、コンテンツをネットワーク上で一意に識別する識別子を通知するために、識別子をデータ放送信号から取得する取得部と、識別子をコンテンツ受信装置に通知するよう指示を受けたときに、識別子をコンテンツ受信装置に宛てて送信する識別子送信部と、を含むことを特徴とする。
【００１４】
本発明のさらに別の態様は、コンテンツ受信装置に関する。このコンテンツ受信装置は、放送された番組を受信する放送受信装置から、放送受信装置がデータ放送信号から取得した、番組と同様の内容のコンテンツをネットワーク上で一意に識別する識別子を取得する取得部と、識別子を用いて、コンテンツを保持するコンテンツ配信サーバにコンテンツの配信を要求するコンテンツ要求部と、コンテンツを受信するコンテンツ受信部と、コンテンツを再生するコンテンツ再生部と、を含むことを特徴とする。
【００１５】
なお、以上の構成要素の任意の組合せ、本発明の表現を方法、装置、システム、記録媒体、コンピュータプログラムなどの間で変換したものもまた、本発明の態様として有効である。
【００１６】
【発明の実施の形態】
（第１の実施の形態）
図１は、第１の実施の形態に係る情報配信システム１０の全体構成を示す。情報配信システム１０において、放送局３０は、番組を放送するとともに、放送した番組と同様の内容のＡＶストリーム（以下、「コンテンツ」ともいう）を、コンテンツサーバ５０に格納する。コンテンツサーバ５０は、インターネット２０を介してコンテンツをストリーミング配信する。ユーザは、放送受信装置の一例である携帯電話１００により外出先などで視聴した番組を、コンテンツ受信装置の一例であるホームサーバ２００からコンテンツサーバ５０にアクセスして、自宅で再び視聴することができる。
【００１７】
本実施の形態では、携帯電話１００で視聴した番組と同じ内容のコンテンツに容易にアクセスすることができるようにするために、放送局３０は、番組の放送に並行して、データ放送によりコンテンツのＵＲＬを放送する。携帯電話１００は、通信事業者４０の基地局および接続サーバを介してインターネット２０に接続可能に構成されており、番組の視聴中に指示部１６０を介してユーザから指示があると、視聴中の番組に対応するコンテンツのＵＲＬを放送から取得し、インターネット２０を介してホームサーバ２００に通知する。ホームサーバ２００は、携帯電話１００から通知されたＵＲＬにアクセスすることにより、容易にコンテンツのストリーミング配信を受け、表示装置２０２に再生することができる。
【００１８】
放送局３０が放送する番組と、コンテンツサーバ５０が配信するコンテンツは、同様の内容のＡＶストリームであるが、全く同じデータであるとは限らない。携帯電話１００に放送される番組は、たとえば移動体向けの１セグメント方式の放送用に、画面サイズを小さくし、圧縮率を高くして、データ量を縮減してもよい。それに対して、配信されるコンテンツは、テレビジョン受像機などの大画面表示装置により再生されることを想定して、画面サイズが大きく高精細なＡＶストリームであってもよい。放送局３０が番組およびコンテンツを用意する場合、ハイビジョンあるいは標準のテレビジョンのサイズのカメラで撮影した映像を、移動体向けの放送においては縮小して、通常の放送およびコンテンツサーバ５０に格納するコンテンツにおいてはそのままのサイズでエンコードしてもよい。
【００１９】
図２は、情報配信システム１０における一連の処理の手順の概略を示すシーケンス図である。放送局３０は、番組を放送するとともに、番組と同じ内容のコンテンツをコンテンツサーバ５０に格納し、そのコンテンツのＵＲＬをデータ放送により放送する（Ｓ１００）。携帯電話１００は、放送された番組を受信して再生する（Ｓ１０２）。番組の視聴中、携帯電話１００は、指示部１６０を介してユーザからＵＲＬの送信が要求されるのを待つ（Ｓ１０４のＮ）。指示部１６０がＵＲＬの送信指示を受け付けると（Ｎ１０４のＹ）、携帯電話１００は、視聴中の番組のＵＲＬをデータ放送から取得し（Ｓ１０６）、そのＵＲＬを含む電子メールを作成して（Ｓ１０８）、自宅のホームサーバ２００に宛てて送信する（Ｓ１１０）。
【００２０】
ホームサーバ２００は、受信した電子メールからＵＲＬを抽出して（Ｓ１１２）、ユーザから提示要求があればその一覧を提示し（Ｓ１１４）、配信を受けるコンテンツの選択を受け付ける（Ｓ１１６）。ホームサーバ２００は、ユーザからコンテンツの配信要求を受け付けると、コンテンツサーバ５０にアクセスし、そのＵＲＬのコンテンツのストリーミング配信を要求する（Ｓ１１８）。ホームサーバ２００は、コンテンツのストリーミング配信を受け（Ｓ１２０）、それを再生する（Ｓ１２２）。
【００２１】
図３は、携帯電話１００の内部構成を示す。この構成は、ハードウエア的には、任意のコンピュータのＣＰＵ、メモリ、その他のＬＳＩで実現でき、ソフトウエア的にはメモリにロードされた画像生成機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２２】
携帯電話１００は、デジタル放送を受信する番組受信部の一例としてのチューナ部１１０、放送波をデジタル信号に変換するＡ／Ｄ変換部１１２、コンポーネントを分離する多重分離部１１４、ＡＶストリームをデコードするデコード部１１６、デコードされたデジタル信号をアナログ信号に変換するＤ／Ａ変換部１１８、変換されたアナログ信号を再生する再生部１２０、データ放送から取得されたデータを保持するＲＡＭ１３０、ホームサーバ２００のメールアドレスを保持するアドレス記憶部１４０、ホームサーバ２００に送信する電子メールを生成する送信内容作成部１５０、生成した電子メールを送信する送信部１５２、ユーザからの指示を受け付ける指示部１６０、およびインターネット２０を介した他の装置との通信を制御する通信ユニット１７０を含む。
【００２３】
アンテナにより受信した放送波は、チューナ部１１０により選局され、Ａ／Ｄ変換部１１２によりデジタル信号に変換され、多重分離部１１４によりＡＶストリームとデータに分離される。ＡＶストリームは、デコード部１１６によりデコードされ、Ｄ／Ａ変換部１１８によりアナログ信号に変換され、再生部１２０により再生される。
【００２４】
多重分離部１１４により分離されたデータはＲＡＭ１３０に一旦蓄積される。すなわち、多重分離部１１４は、第１取得部として機能する。データ放送の内容は一定の時間ごとに繰返し放送されるので、番組の途中から見始めてもその内容を取得することができる。データは、前述のＵＲＬやブラウザ制御情報、その他のテキスト情報やグラフィック情報等が各々ファイル化された、デジタルファイルの集合体である。ブラウザ制御情報により、ブラウザ起動時に様々な操作を行ってテキストやグラフィックを表示したり、通信ネットワーク上の他の装置と通信したりすることができる。この機能を利用して、コンテンツのＵＲＬをホームサーバ２００に送信してもよい。送信の形態は、電子メールであってもよいし、ＰＰＰ（Ｐｏｉｎｔ  ｔｏ  Ｐｏｉｎｔ  Ｐｒｏｔｏｃｏｌ）等のプロトコルを用いて直接ＵＲＬ情報を転送してもよいし、その他任意の形態であってよい。本実施の形態では、電子メールによりＵＲＬを送信する。
【００２５】
アドレス記憶部１４０は、ホームサーバ２００のメールアドレスを保持する。ＰＰＰなどのプロトコルによりＵＲＬを送信する場合は、アドレス記憶部１４０にホームサーバ２００のＩＰアドレスを格納してもよい。メールアドレスまたはＩＰアドレスは、予めアドレス記憶部１４０に登録される。送信内容作成部１５０は、ユーザから指示部１６０を介してＵＲＬの送信要求を受け付けると、ＲＡＭ１３０からコンテンツのＵＲＬを取得して電子メールの本文または添付ファイルに付加し、アドレス記憶部１４０から読み出したホームサーバ２００のメールアドレスを宛先に設定する。送信部１５２は、生成された電子メールを、通信ユニット１７０を介して送信する。このとき、放送波から番組配列情報を取得し、番組のイベント名、イベント識別、サービス名、サービス識別、放送開始日時、放送終了日時、などの情報を付加してもよい。
【００２６】
図４は、ホームサーバ２００の内部構成を示す。この構成も、ハードウエアのみ、ソフトウエアのみ、またはそれらの組合せによっていろいろな形で実現できる。ホームサーバ２００は、インターネット２０を介した他の装置との通信を制御する通信ユニット２１０、受信した電子メールからＵＲＬを取り出すＵＲＬ分離部２２０、取り出したＵＲＬを保持するＵＲＬ蓄積部２３０、ユーザからの指示を受け付ける指示部２４０、受信したコンテンツをデコードするデコード部２５０、デコードされたデジタル信号をアナログ信号に変換するＤ／Ａ変換部２６０、アナログ信号を再生する再生部２７０、およびこれらの構成を統括的に制御する制御部２８０を備える。
【００２７】
通信ユニット２１０を介して受信した電子メールは、ＵＲＬ分離部２２０に送られ、ＵＲＬ分離部２２０により、ＵＲＬを記載された、または添付された電子メールが抽出され、ＵＲＬが取り出される。すなわち、ＵＲＬ分離部２２０は、第２取得部として機能する。取り出されたＵＲＬは、ＵＲＬ蓄積部２３０に保持される。指示部２４０は、ユーザからＵＲＬの一覧提示やコンテンツ配信の要求などを受け付ける。ユーザが、指示部２４０を介してＵＲＬの一覧提示を要求すると、制御部２８０は、ＵＲＬ蓄積部２３０に保持されたＵＲＬを読み出してユーザに提示する。このとき、放送局３０から放送される番組配列情報などから、対応する番組の情報を取得して提示してもよい。番組情報は、放送波から取得してもよいし、コンテンツサーバ５０から取得してもよい。ＵＲＬ蓄積部２３０にＵＲＬが格納されるときに、番組情報を取得して保持してもよい。
【００２８】
ユーザが、指示部２４０を介して所望のコンテンツを選択し、配信を要求すると、制御部２８０は、選択されたコンテンツのストリーミング配信をコンテンツサーバ５０に要求する。すなわち、制御部２８０がコンテンツ要求部の機能を担う。通信ユニット２１０を介して受信したコンテンツは、デコード部２５０によりデコードされ、Ｄ／Ａ変換部２６０によりアナログ信号に変換されて、再生部２７０により再生される。
【００２９】
以上の構成および動作により、携帯電話１００で視聴した番組に対応するコンテンツのＵＲＬをホームサーバ２００に通知し、ホームサーバ２００によりそのＵＲＬにアクセスしてコンテンツを視聴することができる。
【００３０】
（第２の実施の形態）
図５は、第２の実施の形態に係る情報配信システム１０の全体構成を示す。本実施の形態の情報配信システム１０では、ホームサーバ２００が存在する地域に合わせたコンテンツが提供される。図５では、同一の番組が、異なる地域をカバーする放送局３０ａおよび系列局３０ｂにより放送される例について説明する。放送される番組が同一であっても、番組に挿入されるＣＭなどの付加情報は、地域により異なるものが放送されることが多い。たとえば、放送局３０ａは、ストリームサーバ５２ａに保持された番組を放送するときに、地域１のために用意されたＣＭをＣＭサーバ５４ａから読み出し、番組に挿入して放送する。また、系列局３０ｂは、ストリームサーバ５２ｂに保持された番組を放送するときに、地域２のために用意されたＣＭをＣＭサーバ５４ｂから読み出し、番組に挿入して放送する。
【００３１】
本実施の形態では、ホームサーバ２００がコンテンツの配信を受けるときに、ホームサーバ２００の地域に合わせたコンテンツを取得可能とするために、放送局３０ａおよび系列局３０ｂは、それぞれ、自身がカバーする地域に合わせて用意されたコンテンツをコンテンツサーバ５０ａおよび５０ｂにそれぞれ格納し、それぞれのコンテンツのＵＲＬと、地域を識別する情報とを、対応づけてデータ放送により放送する。すなわち、図５の例では、放送局３０ａおよび３０ｂは、地域１のためのコンテンツのＵＲＬ１と、地域２のためのコンテンツのＵＲＬ２とを、データ放送により放送する。
【００３２】
図６は、第２の実施の形態に係る携帯電話１００の内部構成を示す。第２の実施の形態の携帯電話１００は、図３に示した第１の実施の形態の携帯電話１００の構成に加え、地域記憶部１８０および選択部１９０を備える。ＲＡＭ１３０には、放送局３０ａまたは３０ｂから放送されるデータ放送から取得した、地域１のためのコンテンツのＵＲＬ１と、地域２のためのコンテンツのＵＲＬ２とが保持されている。地域記憶部１８０は、予め登録された、ホームサーバ２００が存在する地域を識別するための情報を保持する。選択部１９０は、ユーザからＵＲＬの送信要求を受け付けたときに、地域記憶部１８０からホームサーバ２００の存在する地域識別情報を読み出し、ＲＡＭ１３０に記憶された複数のＵＲＬの中から、その地域に対応するＵＲＬを選択して、送信内容作成部１５０に送る。たとえば、ホームサーバ２００が地域２に存在する場合、選択部１９０は、地域２に対応するＵＲＬ２を選択する。送信内容作成部１５０は、選択部１９０により選択されたＵＲＬを含む電子メールを生成し、送信部１５２は、生成された電子メールをアドレス記憶部１４０に保持されたメールアドレスに宛てて送信する。
【００３３】
本実施の形態のホームサーバ２００は、第１の実施の形態のホームサーバ２００と同様である。すなわち、携帯電話１００から電子メールを受信し、記載されたＵＲＬを抽出して保持し、ユーザから指示があると、そのＵＲＬにアクセスして、コンテンツサーバ５０からコンテンツの配信を受ける。上述の例では、ホームサーバ２００には、地域２のためのコンテンツのＵＲＬ２が通知されるので、ホームサーバ２００は、コンテンツサーバ５０ｂからコンテンツのストリーミング配信を受ける。
【００３４】
以上の構成および動作により、ホームサーバ２００は、自身が置かれた地域に合わせたコンテンツの提供を受けることができる。放送局および番組のスポンサーにとっても、地域に合わせたコンテンツをユーザに配信することで、より効果的に広告などの情報を提供することができるというメリットがある。
【００３５】
（第３の実施の形態）
第２の実施の形態では、携帯電話１００側で、ホームサーバ２００がある地域に合わせてコンテンツのＵＲＬを選択したが、第３の実施の形態では、ホームサーバ２００側でＵＲＬを選択する。第３の実施の形態の情報配信システム１０の全体構成は、図５に示した第２の実施の形態の情報配信システム１０の全体構成と同様である。また、第３の実施の形態の携帯電話１００の内部構成は、図３に示した第１の実施の形態の携帯電話１００の内部構成と同様である。
【００３６】
携帯電話１００は、複数の地域に合わせて用意されたコンテンツのＵＲＬをデータ放送から取得してＲＡＭ１３０に保持する。指示部１６０を介してユーザからＵＲＬの送信要求を受け付けると、送信内容作成部１５０は、ＲＡＭ１３０に保持された複数のＵＲＬを電子メールに添付し、送信部１５２がそれをホームサーバ２００に送信する。
【００３７】
図７は、第３の実施の形態に係るホームサーバ２００の内部構成を示す。第３の実施の形態のホームサーバ２００は、図４に示した第１の実施の形態のホームサーバ２００の構成に加えて、地域記憶部２９２および選択部２９０を備える。ＵＲＬ分離部２２０では、携帯電話１００から受信した電子メールに添付された、地域１のためのコンテンツのＵＲＬ１と、地域２のためのコンテンツのＵＲＬ２とが抽出される。地域記憶部２９２は、予め登録された、ホームサーバ２００が存在する地域を識別するための情報を保持する。選択部２９０は、地域記憶部２９２からホームサーバ２００の存在する地域識別情報を読み出し、ＵＲＬ分離部２２０が抽出した複数のＵＲＬの中から、その地域に対応するＵＲＬを選択して、ＵＲＬ蓄積部２３０に格納する。たとえば、ホームサーバ２００が地域２に存在する場合、地域２に対応するＵＲＬ２を選択してＵＲＬ蓄積部２３０に保持する。以降の動作については、第１の実施の形態と同様である。以上の構成および動作によっても、ホームサーバ２００は、自身が置かれた地域に合わせたコンテンツの提供を受けることができる。
【００３８】
（第４の実施の形態）
図８は、第４の実施の形態に係る情報配信システム１０の全体構成を示す。本実施の形態では、コンテンツサーバ５０がコンテンツを配信するときに、配信を要求したホームサーバ２００のある地域に合わせて、ＣＭなどの情報を差し替えて配信する。これにより、番組が放送されるときに、系列局により地域に合わせた番組が作成されていなかった場合であっても、ＣＭ部分のみを地域別に用意して、地域に合わせたコンテンツを配信することができる。また、番組が放送されなかった地域にも、その地域に合わせたＣＭを付加してコンテンツを配信することができる。
【００３９】
放送局３０は、番組を放送するときに、放送局３０がカバーする地域１のために用意されたＣＭを番組に挿入して放送する。放送局３０は、ＣＭ部分を除く番組本体と同様の内容のコンテンツ本体をコンテンツサーバ５０に格納し、このＵＲＬをデータ放送として放送する。放送局３０は、自身が放送したＣＭをＣＭサーバ５４ａに格納するとともに、その他の地域のホームサーバ２００にコンテンツを配信するときに、その地域に合わせたＣＭを配信するために、その他の地域についても地域別にＣＭを用意し、ＣＭサーバ５４ｂ、５４ｃ、・・・に格納する。
【００４０】
携帯電話１００は、放送の視聴中にユーザから指示があると、コンテンツのＵＲＬをホームサーバ２００に通知する。ホームサーバ２００は、ユーザからコンテンツの配信要求があると、コンテンツサーバ５０にアクセスして、そのＵＲＬのコンテンツの配信を要求する。このとき、ホームサーバ２００は、自身の地域を識別する情報をコンテンツサーバ５０に通知する。コンテンツサーバ５０は、ホームサーバ２００からコンテンツの配信要求を受けると、要求されたコンテンツをストリーミング配信する。このとき、ＣＭ部分は、ホームサーバ２００のある地域に合わせたＣＭを保持するＣＭサーバから読み出し、コンテンツ本体に挿入して配信する。
【００４１】
一般に、単一の放送局が放送する番組は、全国放送される番組に比べて制作費が安く、また、コンテンツサーバ５０から配信されるストリーミング配信は、制作した番組を二次的に利用することができるので、本放送に比べて安価なビジネスモデルが成立する。したがって、この場合、放送局が安価な広告費で全国からスポンサーを募り、ＣＭを用意することが可能である。スポンサーのうち、全国的に知名度のあるスポンサーのＣＭと、地域ごとのスポンサーのＣＭとを別のサーバにおき、適宜差し替えつつ配信してもよい。ユーザがＣＭを選択できるようにしてもよい。
【００４２】
（第５の実施の形態）
図９は、第５の実施の形態に係る情報配信システム１０の全体構成を示す。本実施の形態でも、コンテンツサーバ５０がコンテンツを配信するときに、配信を要求したホームサーバ２００のある地域に合わせて、ＣＭなどの情報を差し替えて配信する。第４の実施の形態では、番組を放送した単一の放送局が、各地域のＣＭを用意し、ホームサーバ２００のある地域に合わせて差し替えて配信したが、本実施の形態では、各地域を担当する系列局がそれぞれの地域に合わせたＣＭを用意する。コンテンツサーバ５０がコンテンツを配信するときに、ホームサーバ２００のある地域の系列局のＣＭサーバからＣＭ映像を取得し、コンテンツに挿入して配信する。
【００４３】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４４】
各サーバや装置の構成については、いろいろな変形例が考えられる。たとえば、コンテンツサーバ５０は、放送局とは異なる主体が放送局からコンテンツの提供を受けて運営してもよい。それぞれのサーバが同じ装置により実現されてもよいし、１つのサーバが複数の装置により実現されてもよい。
【００４５】
実施の形態では、携帯電話１００が取得したコンテンツのＵＲＬは、インターネット２０を介してホームサーバ２００に通知されたが、別の例では、ユーザが帰宅したときに、赤外線通信などを用いて、携帯電話１００からホームサーバ２００へ通知されてもよい。
【００４６】
【発明の効果】
本発明によれば、放送された番組を再び視聴することを可能とする技術を提供することができる。
【図面の簡単な説明】
【図１】第１の実施の形態に係る情報配信システムの全体構成を示す図である。
【図２】情報配信システムにおける一連の処理の手順の概略を示すシーケンス図である。
【図３】第１の実施の形態に係る携帯電話の内部構成を示す図である。
【図４】第１の実施の形態に係るホームサーバの内部構成を示す図である。
【図５】第２の実施の形態に係る情報配信システムの全体構成を示す図である。
【図６】第２の実施の形態に係る携帯電話の内部構成を示す図である。
【図７】第３の実施の形態に係るホームサーバの内部構成を示す図である。
【図８】第４の実施の形態に係る情報配信システムの全体構成を示す図である。
【図９】第５の実施の形態に係る情報配信システムの全体構成を示す図である。
【符号の説明】
１０・・・情報配信システム、５０・・・コンテンツサーバ、５４・・・ＣＭサーバ、１００・・・携帯電話、１１０・・・チューナ部、１１４・・・多重分離部、１２０・・・再生部、１４０・・・アドレス記憶部、１５０・・・送信内容作成部、１５２・・・送信部、１６０・・・指示部、１８０・・・地域記憶部、１９０・・・選択部、２００・・・ホームサーバ、２２０・・・ＵＲＬ分離部、２３０・・・ＵＲＬ蓄積部、２４０・・・指示部、２７０・・・再生部、２８０・・・制御部、２９０・・・選択部、２９２・・・地域記憶部。
【図１】
2004304429.tif 000003
【図２】
2004304429.tif 000004
【図３】
2004304429.tif 000005
【図４】
2004304429.tif 000006
【図５】
2004304429.tif 000007
【図６】
2004304429.tif 000008
【図７】
2004304429.tif 000009
【図８】
2004304429.tif 000010
【図９】
2004304429.tif 000011